(57)【要約】【課題】電話回線を介してＦＡＸデータの送受信を行う通信装置（ＢＯＸ）を小型化，低コスト化する。【解決手段】無線ＬＡＮに接続されたＰＣ等のウェブブラウザにてＢＯＸの設定画面にアクセスされると（Ｓ１１５）、ＭＦＰは、無線ＬＡＮを介してＢＯＸから現在の設定値（現設定値）を取得すると共に（Ｓ１２０）、現設定値を変更可能な状態で表示するウェブページ情報を生成し、アクセス元のＰＣ等に送信する（Ｓ１２５）。そして、該ウェブブラウザ上でＢＯＸの現設定値の変更がなされると（Ｓ１３０：Ｙｅｓ）、ＭＦＰは、該ＰＣ等からに変更後の新設定値を受信すると共に、ＢＯＸに対し、現設定値を新設定値に変更するよう要求する（Ｓ１３５）。【選択図】図４
2014068318.tif 000002
【特許請求の範囲】
【請求項１】
一般公衆回線を介したＦＡＸデータの送受信を行う通信装置との間で画像データの送受信を行う画像処理装置であって、
前記通信装置の設定値を入力するための設定画面を表示させる表示指示を受け付ける受付手段と、
前記受付手段が前記表示指示を受け付けると、表示部に前記設定画面を表示させる表示制御手段と、
前記設定画面に従って入力される新設定値であって、前記通信装置に新たに設定すべき前記新設定値を取得する新設定値取得手段と、
前記通信装置に前記新設定値を送信する設定値更新手段と、
を備えることを特徴とする画像処理装置。
【請求項２】
請求項１に記載の画像処理装置において、
前記設定値更新手段は、さらに、前記通信装置に前記新設定値を送信した後、前記通信装置から、前記設定値を更新した旨の応答である更新応答を受信し、
前記表示制御手段は、さらに、前記設定値更新手段が前記更新応答を受信すると、前記表示部に対し、前記設定値が更新された旨を表示させること、
を特徴とする画像処理装置。
【請求項３】
請求項２に記載の画像処理装置において、
前記通信装置と前記画像処理装置とは、ＴＣＰ／ＩＰに準拠したネットワークを介して接続されており、
前記設定値更新手段は、前記新設定値が前記通信装置の前記ネットワークに関する前記設定値である場合には、ＩＰ層よりも下位の層を用いて前記ネットワークを介して前記通信装置と通信を行い、前記新設定値が前記通信装置の前記ネットワーク以外の設定を行うための前記設定値である場合には、ＩＰ層を用いて前記ネットワークを介して前記通信装置と通信を行うこと、
を特徴とする画像処理装置。
【請求項４】
請求項３に記載の画像処理装置において、
前記設定値更新手段は、前記新設定値が前記通信装置の前記ネットワークに関する前記設定値である場合には、該新設定値と予め定められた識別情報とを含むコマンドを、ブロードキャストにより前記ネットワークに送信することで、前記通信装置に前記新設定値を送信すること、
を特徴とする画像処理装置。
【請求項５】
請求項１から請求項４のうちのいずれか１項に記載の画像処理装置において、
アクセスポイントを経由して、前記通信装置と異なる他の通信装置と無線通信を実行するための第１のインターフェイスと、
アクセスポイントを経由すること無く、直接的に前記通信装置と通信するための第２のインターフェイスと、
をさらに備え、
前記設定値更新手段は、前記第２のインターフェイスを介して、前記通信装置と通信を行うこと、
を特徴とする画像処理装置。
【請求項６】
請求項１から請求項５のうちのいずれか１項に記載の画像処理装置において、
ウェブブラウザが設けられた端末と通信を行う端末通信手段をさらに備え、
前記受付手段は、前記端末通信手段を介して前記端末から予め定められたコマンドを受信することで、前記表示指示を受け付け、
前記表示制御手段は、前記受付手段が前記表示指示を受け付けると、前記端末通信手段を介して、前記端末に対し、該端末に設けられたウェブブラウザに前記設定画面を表示させるためのウェブページ情報を送信することで、前記表示部を備える前記端末に前記設定画面を表示させ、
前記新設定値取得手段は、前記端末通信手段を介して前記端末から前記新設定値を受信すること、
を特徴とする画像処理装置。
【請求項７】
請求項６に記載の画像処理装置において、
前記受付手段が前記表示指示を受け付けると、前記通信装置から、該通信装置の現在の前記設定値である現設定値を取得する現設定値取得手段をさらに備え、
前記表示制御手段は、前記現設定値取得手段が取得した前記現設定値を変更可能な状態で前記設定画面に表示する前記ウェブページ情報を、前記端末通信手段を介して前記端末に送信すること、
を特徴とする画像処理装置。
【請求項８】
請求項１から請求項５のうちのいずれか１項に記載の画像処理装置において、
前記表示部は、当該画像処理装置の一部であり、
前記受付手段は、当該画像処理装置に設けられた操作部を介して前記表示指示を受け付け、
前記表示制御手段は、前記受付手段が前記表示指示を受け付けると、前記表示部に前記設定画面を表示させ、
前記新設定値取得手段は、前記操作部を介して入力された値を、前記新設定値として取得すること、
を特徴とする画像処理装置。
【請求項９】
請求項８に記載の画像処理装置において、
前記受付手段が前記表示指示を受け付けると、前記通信装置から、該通信装置の現在の前記設定値である現設定値を取得する現設定値取得手段をさらに備え、
前記表示制御手段は、前記現設定値取得手段が取得した前記現設定値を変更可能な状態で示す前記設定画面を、前記表示部に表示させること、
を特徴とする画像処理装置。
【請求項１０】
請求項３に従属する請求項７、または、請求項３に従属する請求項９に記載の画像処理装置において、
前記現設定値取得手段は、前記現設定値が前記通信装置の前記ネットワークに関する前記設定値である場合には、ＩＰ層よりも下位の層を用いて前記ネットワークを介して前記通信装置と通信を行うことで、前記現設定値を取得し、前記現設定値が前記通信装置の前記ネットワーク以外の設定を行うための前記設定値である場合には、ＩＰ層を用いて前記ネットワークを介して前記通信装置と通信を行うことで、前記現設定値を取得すること、
を特徴とする画像処理装置。
【請求項１１】
一般公衆回線を介したＦＡＸデータの送受信を行う通信装置との間で画像データの送受信を行う画像処理装置としてコンピュータを動作させる画像処理プログラムであって、
前記通信装置の設定値を入力するための設定画面を表示させる表示指示を受け付ける受付手順と、
前記受付手順にて前記表示指示を受け付けると、表示部に前記設定画面を表示させる表示制御手順と、
前記設定画面に従って入力される新設定値であって、前記通信装置に新たに設定すべき前記新設定値を取得する新設定値取得手順と、
前記通信装置に前記新設定値を送信する設定値更新手順として、
コンピュータを動作させることを特徴とする画像処理プログラム。
【発明の詳細な説明】
【技術分野】
【０００１】
本発明は、通信装置の設定を行う画像処理装置等に関する。
【背景技術】
【０００２】
従来、ネットワークを介して他のプリンタから情報を取得し、これらの情報を、自装置の情報と共に、該ネットワークに接続されたブラウザを備えるサーバコンピュータに送信するプリンタが知られている（例えば、特許文献１）。
【０００３】
また、監視設定装置が無線ＬＡＮを介して複数の画像形成装置から設定情報を取得し、これらの設定情報を一括管理することが知られている（例えば、特許文献２）。
また、画像形成装置にて、ＬＡＮを介して他装置から設定情報を取得すると共に、これらの中から自装置に登録されていない設定情報を抽出して表示し、ユーザからの指示に応じてこれらの設定情報を自装置に反映させることが知られている（例えば、特許文献３）。
【先行技術文献】
【特許文献】
【０００４】
【特許文献１】特開平１１−２０３０８７号公報
【特許文献２】特開２００９−１０９６４６号公報
【特許文献３】特開２００６−７９３５３号公報
【発明の概要】
【発明が解決しようとする課題】
【０００５】
一方、一般公衆回線を介してＦＡＸデータの送受信を行う通信装置と、該通信装置との間で無線通信により画像データの送受信を行う画像処理装置とから構成されるシステムが知られている。このようなシステムでは、画像処理装置にて読み取った画像が、通信装置により一般公衆回線を介して送信されると共に、一般公衆回線を介して通信装置が受信したＦＡＸデータに基づき、画像処理装置にて画像が生成される。
【０００６】
また、このようなシステムでは、通信装置に対し、画像処理装置と無線通信を行うための設定やＦＡＸデータの送受信のための設定を行う必要があるため、通信装置にも操作パネルを設ける必要があり、通信装置の小型化，低コスト化を阻む要因となっていた。
【０００７】
本願発明は上記課題に鑑みてなされたものであり、一般公衆回線を介してＦＡＸデータの送受信を行う通信装置を小型化，低コスト化することができる画像処理装置等を提供することを目的とする。
【課題を解決するための手段】
【０００８】
上記課題を解決するための構成を開示する。
第１の構成は、一般公衆回線を介したＦＡＸデータの送受信を行う通信装置との間で画像データの送受信を行う画像処理装置であって、前記通信装置の設定値を入力するための設定画面を表示させる表示指示を受け付ける受付手段と、前記受付手段が前記表示指示を受け付けると、表示部に前記設定画面を表示させる表示制御手段と、前記設定画面に従って入力される新設定値であって、前記通信装置に新たに設定すべき前記新設定値を取得する新設定値取得手段と、前記通信装置に前記新設定値を送信する設定値更新手段と、を備える。
【０００９】
このような構成によれば、画像処理装置を介して通信装置の設定値を変更することができるため、通信装置に操作部や表示部を設ける必要が無くなり、通信装置の小型化，低コスト化が可能となる。
【００１０】
また、第２の構成では、第１の構成の画像処理装置において、前記設定値更新手段は、さらに、前記通信装置に前記新設定値を送信した後、前記通信装置から、前記設定値を更新した旨の応答である更新応答を受信し、前記表示制御手段は、さらに、前記設定値更新手段が前記更新応答を受信すると、前記表示部に対し、前記設定値が更新された旨を表示させる。
【００１１】
こうすることにより、画像処理装置を介して通信装置の設定値の変更を行う際、ユーザは、通信装置の設定値が更新されたことを容易に把握することができ、使い勝手を良くすることができる。
【００１２】
また、通信装置と画像処理装置とが同一のネットワークに接続された状態で使用されることが想定されるが、このような場合、一般的に、通信装置と画像処理装置との間では、該ネットワークを介してユニキャスト通信（ＩＰ層を用いた通信）が行われる。
【００１３】
しかしながら、通信装置のネットワークに関する設定値が適切でない場合、画像処理装置と通信装置との間でユニキャスト通信ができなくなり、その結果、画像処理装置から通信装置の設定値を一切変更できなくなる。このため、通信装置に設定値を変更するための操作部等が設けられていないと、画像処理装置と通信装置との間の通信を復旧させることができなくなる。
【００１４】
これに対し、第３の構成では、第２の構成の画像処理装置において、前記通信装置と前記画像処理装置とは、ＴＣＰ／ＩＰに準拠したネットワークを介して接続されており、前記設定値更新手段は、前記新設定値が前記通信装置の前記ネットワークに関する前記設定値である場合には、ＩＰ層よりも下位の層を用いて前記ネットワークを介して前記通信装置と通信を行い、前記新設定値が前記通信装置の前記ネットワーク以外の設定を行うための前記設定値である場合には、ＩＰ層を用いて前記ネットワークを介して前記通信装置と通信を行う。
【００１５】
こうすることにより、画像処理装置は、通信装置のネットワークに関する設定値が適切でない場合であっても、該設定値を確実に変更することができる。このため、通信装置に操作部等が設けられていなくても、画像処理装置と通信装置との間の通信を復旧させることが可能となる。
【００１６】
なお、ＩＰ層よりも下位の層を用いたネットワークを介した通信とは、具体的には、以下のものが考えられる。
すなわち、第４の構成では、第３の構成の画像処理装置において、前記設定値更新手段は、前記新設定値が前記通信装置の前記ネットワークに関する前記設定値である場合には、該新設定値と予め定められた識別情報とを含むコマンドを、ブロードキャストにより前記ネットワークに送信することで、前記通信装置に前記新設定値を送信する。
【００１７】
なお、識別情報とは、一例として、画像処理装置や通信装置のＭＡＣアドレスが考えられる。
こうすることにより、画像処理装置は、通信装置に対してネットワークに関する新設定値を確実に送信し、通信装置の現設定値を新設定値に更新させることができる。一方、通信装置は、ブロードキャストにより受信した該新設定値の送信元が画像処理装置であるか否かを正確に判別することができ、画像処理装置以外の装置から受信した情報により、誤って通信装置の設定値が変更されてしまうことを防ぐことができる。
【００１８】
また、第５の構成では、第１から第４のうちのいずれかの構成の画像処理装置において、アクセスポイントを経由して、前記通信装置と異なる他の通信装置と無線通信を実行するための第１のインターフェイスと、アクセスポイントを経由すること無く、直接的に前記通信装置と通信するための第２のインターフェイスと、をさらに備え、前記設定値更新手段は、前記第２のインターフェイスを介して、前記通信装置と通信を行う。
【００１９】
このような構成によれば、仮にアクセスポイントに故障等が生じても、画像処理装置と通信装置との間の通信を確実に行うことができ、通信装置の設定値を変更することができる。
【００２０】
また、第６の構成では、第１から第５のうちのいずれかの構成の画像処理装置において、ウェブブラウザが設けられた端末と通信を行う端末通信手段をさらに備え、前記受付手段は、前記端末通信手段を介して前記端末から予め定められたコマンドを受信することで、前記表示指示を受け付け、前記表示制御手段は、前記受付手段が前記表示指示を受け付けると、前記端末通信手段を介して、前記端末に対し、該端末に設けられたウェブブラウザに前記設定画面を表示させるためのウェブページ情報を送信することで、前記表示部を備える前記端末に前記設定画面を表示させ、前記新設定値取得手段は、前記端末通信手段を介して前記端末から前記新設定値を受信する。
【００２１】
このような構成によれば、ネットワークを介して画像処理装置に接続されたＰＣ等から通信装置の設定値を変更することができ、利便性を高めることができる。
また、第７の構成では、第６の構成の画像処理装置において、前記受付手段が前記表示指示を受け付けると、前記通信装置から、該通信装置の現在の前記設定値である現設定値を取得する現設定値取得手段をさらに備え、前記表示制御手段は、前記現設定値取得手段が取得した前記現設定値を変更可能な状態で前記設定画面に表示する前記ウェブページ情報を、前記端末通信手段を介して前記端末に送信する。
【００２２】
このような構成によれば、ＰＣ等により通信装置の設定値を変更する際、該ＰＣ等に通信装置の現設定値を表示させることができ、通信装置の設定値の変更を正確且つ容易に行うことができる。
【００２３】
また、第８の構成では、第１から第５のうちのいずれかの構成の画像処理装置において、前記表示部は、当該画像処理装置の一部であり、前記受付手段は、当該画像処理装置に設けられた操作部を介して前記表示指示を受け付け、前記表示制御手段は、前記受付手段が前記表示指示を受け付けると、前記表示部に前記設定画面を表示させ、前記新設定値取得手段は、前記操作部を介して入力された値を、前記新設定値として取得する。
【００２４】
このような構成によれば、画像処理装置に設けられた操作部や表示部を用いて通信装置の設定値を変更することができ、利便性を高めることができる。
また、第９の構成では、第８の構成の画像処理装置において、前記受付手段が前記表示指示を受け付けると、前記通信装置から、該通信装置の現在の前記設定値である現設定値を取得する現設定値取得手段をさらに備え、前記表示制御手段は、前記現設定値取得手段が取得した前記現設定値を変更可能な状態で示す前記設定画面を、前記表示部に表示させる。
【００２５】
このような構成によれば、画像処理装置に設けられた操作部や表示部を介して通信装置の設定値を変更する際、表示部に通信装置の現設定値を表示させることができ、通信装置の設定値の変更を正確且つ容易に行うことができる。
【００２６】
また、既に述べたように、通信装置と画像処理装置とが同一のネットワークに接続されている場合が想定される。このような場合、通信装置のネットワークに関する設定値が適切でないと、画像処理装置と通信装置との間でユニキャスト通信ができず、画像処理装置は通信装置から現設定値を受信できなくなる可能性がある。これにより、設定画面上に通信装置におけるネットワークに関する現設定値を表示することができず、その結果、これらの設定値の変更が困難となるおそれがある。
【００２７】
そこで、第１０の構成では、第３の構成を引用する第７の構成の画像処理装置、または、第３の構成を引用する第９の画像処理装置において、前記現設定値取得手段は、前記現設定値が前記通信装置の前記ネットワークに関する前記設定値である場合には、ＩＰ層よりも下位の層を用いて前記ネットワークを介して前記通信装置と通信を行うことで、前記現設定値を取得し、前記現設定値が前記通信装置の前記ネットワーク以外の設定を行うための前記設定値である場合には、ＩＰ層を用いて前記ネットワークを介して前記通信装置と通信を行うことで、前記現設定値を取得する。
【００２８】
このような構成によれば、画像処理装置は、通信装置におけるネットワークに関する現設定値を確実に取得し、設定画面に表示することができ、通信装置におけるネットワークに関する設定値を、正確且つ容易に変更することが可能となる。
【００２９】
なお、ＩＰ層よりも下位の層を用いたネットワークを介した通信とは、具体的には、以下のものが考えられる。
すなわち、第１１の構成では、第１０の構成の画像処理装置において、前記現設定値取得手段は、前記現設定値が前記通信装置の前記ネットワークに関する前記設定値である場合には、該現設定値の送信要求と、前記識別情報とを含むコマンドをブロードキャストにより前記ネットワークに送信すると共に、該コマンドへの応答として、前記通信装置からブロードキャストにより前記ネットワークに送信された、該現設定値を受信することで、前記現設定値を取得する。
【００３０】
こうすることにより、画像処理装置は、通信装置に対し現設定値の送信要求を確実に送信し、通信装置から現設定値を取得することができる。一方、通信装置は、ブロードキャストにより受信した現設定値の送信要求の送信元が画像処理装置であるか否かを正確に判別することができ、画像処理装置以外の装置からの要求に応じて、誤って通信装置の現設定値を送信してしまうことを防ぐことができる。
【００３１】
なお、画像処理装置に係る本発明は、画像処理プログラム、当該画像処理プログラムを記録した記憶媒体、方法等、種々の形態で実現することができる。
【図面の簡単な説明】
【００３２】
【図１】第一実施形態におけるＭＦＰとＢＯＸの構成を示すブロック図である。
【図２】第一実施形態におけるＭＦＰとＢＯＸの接続状態を示すブロック図である。
【図３】第一実施形態においてウェブブラウザ上に表示されるＢＯＸの設定画面を示す説明図である。
【図４】第一実施形態におけるＢＯＸ設定処理のフローチャートである。
【図５】第一実施形態において、ＭＦＰがＢＯＸのネットワークに関する現設定値を取得する際の処理と、ＭＦＰがＢＯＸのネットワークに関する設定値を変更する際の処理のフローチャートである。
【図６】第二実施形態においてＭＦＰのＬＣＤに表示されるＢＯＸの設定画面を示す説明図である。
【図７】第二実施形態におけるＢＯＸ設定処理のフローチャートである。
【図８】第三実施形態におけるＭＦＰとＢＯＸの接続状態を示すブロック図である。
【図９】第三実施形態におけるＭＦＰとＢＯＸの構成を示すブロック図である。
【図１０】第三実施形態におけるＭＦＰとＢＯＸの構成を示すブロック図である。
【発明を実施するための形態】
【００３３】
以下、本発明の実施形態について図面を用いて説明する。なお、本発明の実施の形態は、下記の実施形態に何ら限定されることはなく、本発明の技術的範囲に属する限り種々の形態を採りうる。
【００３４】
［第一実施形態］
［１．全体構成］
図１には、第一実施形態における多機能周辺装置（ＭＦＰ）１０と、回線制御装置（ＢＯＸ）３０の構成を示すブロック図が記載されている。ＭＦＰ１０とＢＯＸ３０は、一組のペアを形成しており、ＭＦＰ１０，ＢＯＸ３０には、それぞれ、ペアとなる装置の識別情報（ＭＡＣアドレス）が記憶されている。
【００３５】
ＭＦＰ１０とＢＯＸ３０とは、無線ＬＡＮ方式の無線通信によりＴＣＰ／ＩＰによるデータ通信が可能な無線ＬＡＮクライアントである。また、無線ＬＡＮアクセスポイント（ＡＰ）５０は、無線ＬＡＮ方式の無線通信によりデータ通信が可能な既知の無線ＬＡＮアクセスポイントである。なお、無線ＬＡＮ方式とは、例えば、ＩＥＥＥ８０２．１１ａ／ｂ／ｇ／ｎの規格で定められる通信方式等である。
【００３６】
無線ＬＡＮ方式の無線通信には、通信モードとして、アドホックモード（Ａｄモードとも記載）と、インフラストラクチャーモード（Ｉｎｆモードとも記載）との２つがあり、ＭＦＰ１０とＢＯＸ３０は、何れかのモードで通信を行うことができる。
【００３７】
Ｉｎｆモードは、無線ＬＡＮクライアントが無線ＬＡＮアクセスポイントを介して通信を行うモードであり、第一実施形態では、一例として、Ｗｉ−Ｆｉに準拠した通信が行われる。Ｉｎｆモードで通信を行う場合、ＭＦＰ１０とＢＯＸ３０は、ＰＣ７０やモバイル機器７１等と共に、ＡＰ５０を介して無線ＬＡＮに接続される（図２参照）。
【００３８】
一方、Ａｄモードは、無線ＬＡＮクライアント間で直接通信を行うモードであり、ＭＦＰ１０とＢＯＸ３０は、ＡＰ５０を介さずに直接無線通信を行う。
そして、ＭＦＰ１０は、ＣＰＵ１１，ＲＯＭ１２，ＲＡＭ１３，フラッシュメモリ１４，無線ＬＡＮ通信制御回路１７，メモリカードリーダライタ２２を有している。また、ＭＦＰ１０には、下部にインクジェット方式のプリンタ２０が、上部にフラットベッド方式のスキャナ２１が設けられており、正面上部に、操作キー１８，ＬＣＤ１９を備える操作パネルが設けられている。
【００３９】
ＣＰＵ１１，ＲＯＭ１２，ＲＡＭ１３，フラッシュメモリ１４は、バスライン１５を介して互いに接続されている。また、無線ＬＡＮ通信制御回路１７，操作キー１８，ＬＣＤ１９，プリンタ２０，スキャナ２１，メモリカードリーダライタ２２，バスライン１５は、入出力ポート１６を介して互いに接続されている。
【００４０】
ＣＰＵ１１は、ＲＯＭ１２等に記憶される固定値やプログラム、或いは、無線ＬＡＮ通信制御回路１７を介して送受信される各種信号に従って、各機能の制御や、入出力ポート１６と接続された各部を制御するものである。
【００４１】
ＲＯＭ１２は、ＭＦＰ１０で実行される制御プログラム等を格納した書換不能なメモリであり、各種処理を実行するためのプログラム等が格納されている。一方、ＲＡＭ１３は、書換可能な揮発性のメモリであり、フラッシュメモリ１４は、書換可能な不揮発性のメモリである。
【００４２】
フラッシュメモリ１４には、ＭＦＰ１０のＩＰアドレス，ＭＡＣアドレスや、ペアとなるＢＯＸ３０のＩＰアドレス，ＭＡＣアドレス等、無線ＬＡＮに関する各種設定値が記憶される。また、製造時には、ペアとなるＭＦＰ１０，ＢＯＸ３０がＡｄモードで互いにデータ通信可能となるように、フラッシュメモリ１４に無線ＬＡＮに関する設定値が記憶される。
【００４３】
無線ＬＡＮ通信制御回路１７は、無線ＬＡＮ方式の無線通信についての各種制御を行うものであり、無線ＬＡＮに関する各種設定値を保存するための揮発性のメモリや、無線ＬＡＮ用アンテナ１７ａを有する。この無線ＬＡＮ通信制御回路１７は、他の通信装置（例えば、ＢＯＸ３０やＡＰ５０等）との間で各種のデータを構成するデジタル信号を送受信するものである。
【００４４】
一方、ＢＯＸ３０は、電話回線網６０を使用する通信の制御を行うものであり、電話回線網６０に接続されている。ＢＯＸ３０は、ＣＰＵ３１，ＲＯＭ３２，ＲＡＭ３３，フラッシュメモリ３４，無線ＬＡＮ通信制御回路３７，ＤＣＬ送受信部３８，モデム３９，ＮＣＵ４０を有している。
【００４５】
ＣＰＵ３１，ＲＯＭ３２，ＲＡＭ３３，フラッシュメモリ３４は、バスライン３５を介して互いに接続されている。また、無線ＬＡＮ通信制御回路３７，ＤＣＬ送受信部３８，モデム３９，ＮＣＵ４０，バスライン３５は、入出力ポート３６を介して互いに接続されている。
【００４６】
ＣＰＵ３１は、ＲＯＭ３２等に記憶される固定値やプログラム、或いは、無線ＬＡＮ通信制御回路３７を介して送受信される各種信号に従って、各機能の制御や、入出力ポート３６と接続された各部を制御するものである。
【００４７】
ＲＯＭ３２は、ＢＯＸ３０で実行される制御プログラム等を格納した書換不能なメモリであり、各種処理を実行するためのプログラム等が格納されている。一方、ＲＡＭ３３は、書換可能な揮発性のメモリであり、フラッシュメモリ３４は、書換可能な不揮発性のメモリである。
【００４８】
フラッシュメモリ３４には、ＢＯＸ３０のＩＰアドレス，ＭＡＣアドレスや、ペアとなるＭＦＰ１０のＩＰアドレス，ＭＡＣアドレス等、無線ＬＡＮに関する各種設定値が記憶される。また、製造時には、ペアとなるＭＦＰ１０，ＢＯＸ３０がＡｄモードで互いにデータ通信可能となるように、フラッシュメモリ３４に無線ＬＡＮに関する設定値が記憶される。
【００４９】
無線ＬＡＮ通信制御回路３７は、無線ＬＡＮ方式の無線通信についての各種制御を行うものであり、無線ＬＡＮに関する各種設定値を保存するための揮発性のメモリや、無線ＬＡＮ用アンテナ３７ａを有する。この無線ＬＡＮ通信制御回路３７は、他の通信装置（例えば、ＭＦＰ１０やＡＰ５０等）との間で各種のデータを構成するデジタル信号を送受信するものである。
【００５０】
ＤＣＬ送受信部３８は、ＤＣＬアンテナ（図示無し）を介して子機（図示無し）と無線通信を行い、電話機能を動作させるものである。すなわち、子機からの指示に応じて、ＮＣＵ４０を介して電話回線網６０にダイヤル信号を送信すると共に、ＮＣＵ４０を介して電話回線網６０から受信した呼出信号に対する応答制御を行う。また、ＮＣＵ４０を介して電話回線網６０から受信した音声通話信号を子機に送信すると共に、子機から受信した音声通話信号を、ＮＣＵ４０を介して電話回線網６０に送信する。
【００５１】
モデム３９は、ファクシミリ機能によって送信する原稿データを、電話回線網６０に伝送可能な信号に変調してＮＣＵ４０を介して送信したり、電話回線網６０からＮＣＵ４０を介して入力された信号を受信し、原稿データへ復調するものである。
【００５２】
［２．処理の概要］
次に、ＭＦＰ１０とＢＯＸ３０の動作について説明する。
既に述べたように、ＭＦＰ１０とＢＯＸ３０とは、ペアとなって動作するように構成されている。
【００５３】
このような動作により実現される機能の一例として、ＭＦＰ１０がスキャナ２１で画像データを読み取ると共に、無線ＬＡＮを介して該画像データをＢＯＸ３０へ送信し、ＢＯＸ３０が該画像データを電話回線網６０へ送信するファクシミリ送信機能がある。なお、スキャナ２１で画像を読み取ることに替えて、メモリカードリーダライタ２２を用いてメモリカードから画像データを読み込んでもよいし、ＰＣ７０等から画像データを受信しても良い。
【００５４】
また、これ以外にも、例えば、ＢＯＸ３０が電話回線網６０から受信した画像データを、無線ＬＡＮを介してＭＦＰ１０へ送信し、ＭＦＰ１０にて該画像データをプリンタ２０で印刷するファクシミリ受信機能がある。なお、画像データをプリンタ２０で印刷することに替えて、メモリカードリーダライタ２２を用いてメモリカードに記憶しても良いし、ＰＣ７０等へ送信しても良い。
【００５５】
また、ＭＦＰ１０は、ウェブサーバ機能を有しており、無線ＬＡＮに接続されたＰＣ７０等からの指示に応じて、ＭＦＰ１０やＢＯＸ３０に関する各種設定を行うための設定画面を、該ＰＣ７０等のウェブブラウザに表示する。
【００５６】
図３には、ＢＯＸ３０の設定を行うためにウェブブラウザに表示される基本設定画面８０の一例が記載されている。
基本設定画面８０には、ＢＯＸ３０の状態を示す項目８１と、無鳴動受信のオン／オフを示す項目８２と、呼出回数を示す項目８３と、親切受信のオン／オフを示す項目８４が表示される。また、ＢＯＸ３０に対し、各項目の設定値を更新させるＯＫボタン８５が表示される。
【００５７】
なお、無鳴動受信とは、ＦＡＸ受信時には子機に着信音を出力させないようにする（電話の着信があった場合のみ子機に着信音を出力させる）機能である。
また、呼出回数とは、ＦＡＸの着信があった際に、ＦＡＸの自動受信を開始するまでに図示しないスピーカから出力する着信音の回数であり、親切受信とは、該呼出回数の着信音が出力される前に子機の受話器が取られると、ＦＡＸ受信を開始する機能である。
【００５８】
ＰＣ７０等のウェブブラウザに基本設定画面８０が立ち上げられると、各項目８１〜８４には、現時点におけるＢＯＸ３０の設定値である現設定値が表示される。これらの項目のうち、項目８２〜８４に関しては該ＰＣ７０等に設けられた操作部（キーボードやマウス等）を介して表示中の設定値を変更することができ、設定値の変更後、ＯＫボタン８５をクリックすることで、変更後の設定値（新設定値）をＢＯＸ３０に反映させることができる。
【００５９】
以下では、ＭＦＰ１０が、ウェブサーバ機能によりＰＣ７０等のウェブブラウザに設定画面を表示し、ＢＯＸ３０の設定を行う処理について説明する。
［３．ＢＯＸ設定処理について］
まず、ＢＯＸ設定処理について、図４に記載のフローチャートを用いて説明する。なお、以下の処理は、ＭＦＰ１０のＣＰＵ１１がＲＯＭに記憶されているプログラムに従い動作することで実現される。
【００６０】
無線ＬＡＮに接続されたＰＣ７０等に設けられたウェブブラウザにて、ＭＦＰ１０の設定画面（トップ画面）に対応するＵＲＬへのアクセスがなされたとする。このとき、ＭＦＰ１０のＣＰＵ１１は、該ＰＣ７０等から、無線ＬＡＮを介して、トップ画面へのアクセス要求を受信する（Ｓ１０５）。
【００６１】
続くＳ１１０では、ＭＦＰ１０のＣＰＵ１１は、ウェブブラウザでトップ画面を表示するためのウェブページ情報を生成すると共に、無線ＬＡＮを介して、アクセス元のＰＣ７０等に対し、ｈｔｔｐに従い該ウェブページ情報を送信する。
【００６２】
なお、ＭＦＰ１０で生成されるウェブページ情報は、一例としてＨＴＭＬにより記述されていても良い。また、該ウェブページ情報により表示されるトップ画面では、ＭＦＰ１０の現設定値が表示され、特定の現設定値については変更可能な状態となっている。
【００６３】
続いて、ＰＣ７０等に表示中のトップ画面からＢＯＸ３０の設定画面へのアクセスがなされると、ＭＦＰ１０のＣＰＵ１１は、無線ＬＡＮを介して、ＢＯＸ３０の設定画面へのアクセス要求を受信する（Ｓ１１５）。より具体的には、ＭＦＰ１０のＣＰＵ１１は、ＢＯＸ３０の基本設定画面へのアクセス要求、または、ＢＯＸ３０のネットワーク設定画面へのアクセス要求を受信する。なお、ネットワーク設定とは、ＩＰアドレス、サブネットマスク、ゲートウェイアドレスを含む。
【００６４】
続くＳ１２０では、ＭＦＰ１０のＣＰＵ１１は、無線ＬＡＮを介して、ＢＯＸ３０に対し、ＢＯＸ３０における現設定値の送信要求を送信すると共に、該送信要求の応答として、ＢＯＸ３０から現設定値を受信し、Ｓ１２５に処理を移行する。
【００６５】
このとき、ＣＰＵ１１は、Ｓ１１５において、ネットワーク設定画面へのアクセス要求を受信した場合、ＩＰ層よりも下位の層（例えば、データリンク層）を用いてＢＯＸ３０と通信を行い、現設定値を取得しても良い（詳細は後述する）。また、Ｓ１１５において、基本設定画面へのアクセス要求を受信した場合、ＩＰ層を用いた通信（ＭＦＰ１０或いはＢＯＸ３０のＩＰアドレスを送信先として指定したユニキャスト通信）を行い、現設定値を取得しても良い。
【００６６】
Ｓ１２５では、ＭＦＰ１０のＣＰＵ１１は、ウェブブラウザ上でＢＯＸ３０の設定画面（基本設定画面またはネットワーク設定画面）を表示するためのウェブページ情報を生成すると共に、無線ＬＡＮを介して、アクセス元のＰＣ７０等に対し、ｈｔｔｐに従い該ウェブページ情報を送信する。
【００６７】
なお、該ウェブページ情報により表示されるＢＯＸ３０の設定画面では、ＢＯＸ３０の現設定値が表示され、特定の現設定値については変更可能な状態となっている。
続くＳ１３０では、ＭＦＰ１０のＣＰＵ１１は、無線ＬＡＮを介して、アクセス元のＰＣ７０等から新設定値を受信したか否か判定する。そして、肯定判定がなされた場合には（Ｓ１３０：Ｙｅｓ）、Ｓ１３５に処理を移行すると共に、否定判定がなされた場合には（Ｓ１３０：Ｎｏ）、再度Ｓ１３０に処理を移行する。
【００６８】
Ｓ１３５では、ＭＦＰ１０のＣＰＵ１１は、無線ＬＡＮを介してＢＯＸ３０に新設定値を送信し、ＢＯＸ３０の現設定値を該新設定値に変更する。
このとき、ＣＰＵ１１は、ネットワークに関する現設定値を変更する際には、ＩＰ層よりも下位の層を用いてＢＯＸ３０と通信を行い、現設定値を新設定値に変更しても良い（詳細は後述する）。また、ネットワーク以外に関する現設定値を変更する際には、ＩＰ層を用いた通信を行い、現設定値を新設定値に変更しても良い。
【００６９】
続くＳ１４０では、ＭＦＰ１０のＣＰＵ１１は、ＢＯＸ３０からの応答に基づき、ＢＯＸ３０の現設定値の変更に成功したか否かを判定する。そして、肯定判定が得られた場合には（Ｓ１４０：Ｙｅｓ）、Ｓ１５０に処理を移行すると共に、否定判定が得られた場合には（Ｓ１４０：Ｎｏ）、Ｓ１４５に処理を移行する。
【００７０】
Ｓ１４５では、ＭＦＰ１０のＣＰＵ１１は、ＢＯＸ３０の現設定値の変更に失敗した旨を示す失敗画面を表示するためのウェブページ情報を生成する。そして、無線ＬＡＮを介して、アクセス元のＰＣ７０等に対し、ｈｔｔｐに従い該ウェブページ情報を送信し、Ｓ１３０に処理を移行する。
【００７１】
一方、Ｓ１５０では、ＭＦＰ１０のＣＰＵ１１は、ＢＯＸ３０の現設定値の変更に成功した旨を示す成功画面を表示するためのウェブページ情報を生成する。そして、無線ＬＡＮを介して、アクセス元のＰＣ７０等に対し、ｈｔｔｐに従い該ウェブページ情報を送信し、Ｓ１３０に処理を移行する。
【００７２】
［４．ネットワークに関する現設定値の取得について］
次に、ＢＯＸ設定処理のＳ１２０にて、ＢＯＸ３０のネットワークに関する現設定値を取得する処理について、図５（ａ）に記載のフローチャートを用いて説明する。
【００７３】
第一実施形態では、ＭＦＰ１０やＢＯＸ３０は、送信先のＩＰアドレスを２５５．２５５．２５５．２５５とするパケット（ブロードキャストパケット）を用いて、ブロードキャスト通信を行う。ＡＰ５０は、ＭＦＰ１０やＢＯＸ３０からブロードキャストパケットを受信すると、該パケットを、無線ＬＡＮに接続された全ての装置に送信するよう構成されている。また、ＡＰ５０は、該パケットを、他のネットワークには送信しないよう構成されている。
【００７４】
本処理では、データリンク層における情報であるＭＡＣアドレスを含むブロードキャストパケットを送受信することで、現設定値の取得が行われる。
Ｓ２０５では、ＭＦＰ１０のＣＰＵ１１は、ＢＯＸ３０に対しネットワークに関する現設定値の送信を要求するブロードキャストパケットである現設定値送信要求を、無線ＬＡＮに送信する。この現設定値送信要求には、ＭＦＰ１０からペアであるＢＯＸ３０宛に送信されたことを示す情報として、ＢＯＸ３０のＭＡＣアドレスが含まれている。
【００７５】
現設定値送信要求を受信したＢＯＸ３０のＣＰＵ３１は、フラッシュメモリ３４に記憶されている自装置のＭＡＣアドレスと、該現設定値送信要求に含まれているＭＡＣアドレスが一致するか否かを判定する（Ｓ２１０）。そして、肯定判定が得られた場合には（Ｓ２１０：Ｙｅｓ）、ネットワークに関する現設定値を含むブロードキャストパケットである現設定値情報を無線ＬＡＮに送信する（Ｓ２１５）。該現設定値情報には、ＢＯＸ３０からペアであるＭＦＰ１０宛に送信されたことを示す情報として、ＭＦＰ１０のＭＡＣアドレスが含まれている。
【００７６】
現設定値情報を受信したＭＦＰ１０のＣＰＵ１１は、フラッシュメモリ１４に記憶されている自装置のＭＡＣアドレスと、該現設定値情報に含まれているＭＡＣアドレスが一致するか否かを判定する（Ｓ２２０）。
【００７７】
そして、肯定判定が得られた場合には（Ｓ２２０：Ｙｅｓ）、ＢＯＸ３０のネットワークに関する現設定値の取得に成功したものとみなして本処理を終了する。一方、否定判定が得られた場合や、ＢＯＸ３０から現設定値情報を受信できなかった場合には、ＣＰＵ１１は、現設定値の取得に失敗したものとみなして本処理を終了する。
【００７８】
なお、現設定値送信要求には、ＢＯＸ３０のＭＡＣアドレスに替えてＭＦＰ１０のＭＡＣアドレスが含まれていても良い。このような場合には、Ｓ２１０では、ＢＯＸ３０は、現設定値送信要求に含まれるＭＡＣアドレスと、フラッシュメモリ３４に記憶されているＭＦＰ１０のＭＡＣアドレスが一致するか否かを判定する。
【００７９】
また、現設定値情報には、ＭＦＰ１０のＭＡＣアドレスに替えてＢＯＸ３０のＭＡＣアドレスが含まれていても良い。このような場合には、Ｓ２２０では、現設定値情報に含まれるＭＡＣアドレスと、フラッシュメモリ１４に記憶されているＢＯＸ３０のＭＡＣアドレスが一致するか否かが判定される。
【００８０】
［５．ネットワークに関する現設定値の変更について］
次に、ＢＯＸ設定処理のＳ１３５〜Ｓ１５０にて、ＢＯＸ３０のネットワークに関する現設定値を新設定値に変更する処理について、図５（ｂ）に記載のフローチャートを用いて説明する。本処理では、データリンク層における情報であるＭＡＣアドレスを含むブロードキャストパケットを送受信することで、現設定値の変更がなされる。
【００８１】
Ｓ２５５では、ＭＦＰ１０のＣＰＵ１１は、ＢＯＸ３０に対し現設定値を新設定値に変更することを要求するブロードキャストパケットである設定変更要求を無線ＬＡＮに送信する。この設定変更要求には、新設定値が含まれていると共に、ＭＦＰ１０からペアであるＢＯＸ３０宛に送信されたことを示す情報として、ＢＯＸ３０のＭＡＣアドレスが含まれている。
【００８２】
設定変更要求を受信したＢＯＸ３０のＣＰＵ３１は、フラッシュメモリ３４に記憶されている自装置のＭＡＣアドレスと、該設定変更要求に含まれているＭＡＣアドレスが一致するか否かを判定する（Ｓ２６０）。そして、肯定判定が得られた場合には（Ｓ２６０：Ｙｅｓ）、現設定値を新設定値に更新し（Ｓ２６５）、現設定値を新設定値に更新したことを示すブロードキャストパケットである更新応答を無線ＬＡＮに送信する（Ｓ２７０）。この更新応答には、ＢＯＸ３０からペアであるＭＦＰ１０宛に送信されたことを示す情報として、ＭＦＰ１０のＭＡＣアドレスが含まれている。
【００８３】
更新応答を受信したＭＦＰ１０のＣＰＵ１１は、フラッシュメモリ１４に記憶されている自装置のＭＡＣアドレスと、該更新応答に含まれているＭＡＣアドレスが一致するか否かを判定する（Ｓ２７５）。
【００８４】
そして、肯定判定が得られた場合には（Ｓ２７５：Ｙｅｓ）、ＭＦＰ１０のＣＰＵ１１は、ＢＯＸ３０の現設定値の変更に成功したものとみなし（Ｓ２８０）、本処理を終了する。一方、否定判定が得られた場合や、ＢＯＸ３０から更新応答を受信できなかった場合には、ＣＰＵ１１は、ＢＯＸ３０の現設定値の変更に失敗したものとみなし、ＢＯＸ３０の現設定値の変更に失敗した旨を示す失敗画面を表示するためのウェブページ情報を生成する。
【００８５】
なお、設定変更要求には、ＢＯＸ３０のＭＡＣアドレスに替えてＭＦＰ１０のＭＡＣアドレスが含まれていても良い。このような場合には、Ｓ２６０では、ＢＯＸ３０は、設定変更要求に含まれるＭＡＣアドレスと、フラッシュメモリ３４に記憶されているＭＦＰ１０のＭＡＣアドレスが一致するか否かを判定する。
【００８６】
また、更新応答には、ＭＦＰ１０のＭＡＣアドレスに替えてＢＯＸ３０のＭＡＣアドレスが含まれていても良い。このような場合には、Ｓ２７５では、更新応答に含まれるＭＡＣアドレスと、フラッシュメモリ１４に記憶されているＢＯＸ３０のＭＡＣアドレスが一致するか否かが判定される。
【００８７】
［第二実施形態］
次に、第二実施形態のＭＦＰ１０とＢＯＸ３０について説明する。
第二実施形態のＭＦＰ１０とＢＯＸ３０は、第一実施形態と同様の構成を有しているが、ＢＯＸ設定処理において、ＭＦＰ１０に設けられたＬＣＤ１９にＢＯＸ３０の設定画面が表示され、操作キー１８を介してＢＯＸ３０の設定が行われる点において相違している。
【００８８】
図６には、ＢＯＸ３０の設定を行うためにＬＣＤ１９に表示される設定画面９０の一例が記載されている。該設定画面９０にも、第一実施形態と同様、ＢＯＸ３０の状態を示す項目９１と、無鳴動受信のオン／オフを示す項目９２と、呼出回数を示す項目９３と、親切受信のオン／オフを示す項目９４が表示される。
【００８９】
ＬＣＤ１９に設定画面９０が立ち上げられると、各項目９１〜９４にはＢＯＸ３０の現設定値が表示される。そして、これらの項目のうち、項目９２〜９４に関しては操作キー１８を介して表示中の設定値を変更することができ、特定のキーを操作することで、変更後の設定値（新設定値）をＢＯＸ３０に反映させることができる。
【００９０】
以下では、第二実施形態におけるＢＯＸ設定処理について、図７に記載のフローチャートを用いて説明する。なお、以下の処理は、ＭＦＰ１０のＣＰＵ１１がＲＯＭに記憶されているプログラムに従い動作することで実現される。
【００９１】
ＭＦＰ１０のＣＰＵ１１は、操作キー１８を介してＢＯＸ３０の設定変更要求を受け付けると（Ｓ３０５）、第一実施形態のＢＯＸ設定処理のＳ１２０と同様にして、ＢＯＸ３０から現設定値を受信する（Ｓ３１０）。そして、ＬＣＤ１９にＢＯＸ３０の設定画面を表示し（Ｓ３１５）、Ｓ３２０に処理を移行する。この設定画面では、ＢＯＸ３０の現設定値が表示され、特定の現設定値については変更可能な状態となっている。
【００９２】
Ｓ３２０では、ＭＦＰ１０のＣＰＵ１１は、操作キー１８を介して、ＢＯＸ３０の現設定値を変更する操作を受け付けたか否かを判定する。そして、肯定判定がなされた場合には（Ｓ３２０：Ｙｅｓ）、該操作により入力された新設定値を特定し、Ｓ３２５に処理を移行すると共に、否定判定がなされた場合には（Ｓ３２０：Ｎｏ）、再度Ｓ３２０に処理を移行する。
【００９３】
Ｓ３２５では、ＭＦＰ１０のＣＰＵ１１は、第一実施形態のＢＯＸ設定処理のＳ１３５と同様にしてＢＯＸ３０の現設定値を新設定値に変更する。
続くＳ３３０では、ＭＦＰ１０のＣＰＵ１１は、第一実施形態のＢＯＸ設定処理のＳ１４０と同様にしてＢＯＸ３０の現設定値の変更に成功したか否かを判定する。そして、肯定判定が得られた場合には（Ｓ３３０：Ｙｅｓ）、Ｓ３４０に処理を移行すると共に、否定判定が得られた場合には（Ｓ３３０：Ｎｏ）、Ｓ３３５に処理を移行する。
【００９４】
Ｓ３３５では、ＭＦＰ１０のＣＰＵ１１は、ＢＯＸ３０の現設定値の変更に失敗した旨をＬＣＤ１９に表示し、Ｓ３２０に処理を移行する。
一方、Ｓ３４０では、ＭＦＰ１０のＣＰＵ１１は、ＢＯＸ３０の現設定値の変更に成功した旨をＬＣＤ１９に表示し、Ｓ３２０に処理を移行する。
【００９５】
［第三実施形態］
次に、第三実施形態のＭＦＰ１０とＢＯＸ３０の構成について説明する。
第三実施形態のＭＦＰ１０は、複数の無線ＬＡＮに同時に接続することが可能なマルチインターフェースを有している点で、第一，第二実施形態と相違している。ＭＦＰ１０は、ＩｎｆモードによりＡＰ５０を介して無線ＬＡＮに接続するのと同時に、Ｗｉ−Ｆｉ  Ｄｉｒｅｃｔに準拠したＷｉ−Ｆｉ  Ｄｉｒｅｃｔ通信により、ＡＰ５０を介すること無く、ＢＯＸ３０と直接通信を行う（図８参照）。
【００９６】
なお、ＭＦＰ１０は、第一，第二実施形態のように１つの無線ＬＡＮ通信制御回路１７を備える場合には、該無線ＬＡＮ通信制御回路１７を切り替えて使用することで、Ｉｎｆモードによる無線ＬＡＮへの接続と、Ｗｉ−Ｆｉ  Ｄｉｒｅｃｔ通信を利用したＢＯＸ３０との通信を同時に行っても良い。このような場合には、無線ＬＡＮ通信制御回路１７が、特許請求の範囲における第１，第２のインターフェイスに相当する。
【００９７】
また、図９に記載されているように、２つの無線ＬＡＮ通信制御回路１７，２３を備え、一方の無線ＬＡＮ通信制御回路１７によりＩｎｆモードで無線ＬＡＮに接続し、他方の無線ＬＡＮ通信制御回路２３により、Ｗｉ−Ｆｉ  Ｄｉｒｅｃｔ通信を利用してＢＯＸ３０と通信を行っても良い。このような場合には、一方の無線ＬＡＮ通信制御回路１７が特許請求の範囲における第１のインターフェイスに相当し、他方の無線ＬＡＮ通信制御回路２３が第２のインターフェイスに相当する。
【００９８】
また、無線ＬＡＮではなく、ブルートゥース，ＵＷＢ等の他の無線通信方式によりＭＦＰ１０とＢＯＸ３０との間の通信を行う構成としても良いし、有線ＬＡＮによりＭＦＰ１０とＢＯＸ３０との間の通信を行う構成としても良い。このような場合には、ＭＦＰ１０とＢＯＸ３０とに、それぞれ、上記方法により通信を行うためのＩ／Ｆ２４，４１をさらに設け、これらのＩ／Ｆ２４，４１を介して、ＭＦＰ１０とＢＯＸ３０との間の通信を行うことが考えられる（図１０参照）。
【００９９】
また、このような場合には、無線ＬＡＮ通信制御回路１７が特許請求の範囲における第１のインターフェイスに相当し、Ｉ／Ｆ２４が第２のインターフェイスに相当する。
そして、このようなマルチインターフェースにより、無線ＬＡＮへのアクセスと、ＭＦＰ１０とＢＯＸ３０との間の通信を行う場合においても、第一，第二実施形態と同様の方法でＢＯＸ設定処理を行うことができる。
【０１００】
［効果］
第一〜第三実施形態のＭＦＰ１０によれば、ＭＦＰ１０のウェブサーバ機能や、ＭＦＰ１０に設けられた操作キー１８，ＬＣＤ１９により、ＢＯＸ３０の設定値を変更することができる。このため、ＢＯＸ３０に操作部や表示部を設ける必要が無くなり、ＢＯＸ３０の小型化，低コスト化が可能となる。
【０１０１】
また、ＭＦＰ１０がＢＯＸ３０からネットワークに関する現設定値を取得する場合や、ＢＯＸ３０のネットワークに関する現設定値を変更する場合には、ＭＦＰ１０とＢＯＸ３０との間では、ブロードキャストパケットを用いた通信が行われる。
【０１０２】
このため、ＢＯＸ３０におけるネットワークに関する現設定値が不適切であるため、ＭＦＰ１０とＢＯＸ３０との間でＩＰ層を用いた通信ができない状態となっても、ＭＦＰ１０にて確実に該現設定値を取得することができ、設定画面に該現設定値を表示することができる。また、ＭＦＰ１０からＢＯＸ３０に対し、設定画面上で入力されたネットワークに関する新設定値を確実に送信し、現設定値を新設定値に変更することができる。
【０１０３】
したがって、通信装置に操作部等を設けなくても、ＭＦＰ１０を用いてＭＦＰ１０とＢＯＸ３０との間の通信を確実に復旧させることができる。
また、ブロードキャストパケットには、送信先となるＭＦＰ１０或いはＢＯＸ３０のＭＡＣアドレスが含まれているため、ＭＦＰ１０やＢＯＸ３０は、ペアとなるＢＯＸ３０或いはＭＦＰ１０からのブロードキャストパケットであるか否かを正確に判別することができる。このため、ＢＯＸ３０が他の装置からの指示に応じて現設定値の提供や変更を行うことや、ＭＦＰ１０が他の装置から受信した情報に基づき、誤ったＢＯＸ３０の現設定値を設定画面に表示してしまうことを防ぐことができる。
【０１０４】
なお、第一〜第三実施形態におけるＭＦＰ１０が画像処理装置に、ＢＯＸ３０が通信装置に相当し、ＭＦＰ１０の無線ＬＡＮ通信制御回路１７が端末通信手段に相当する。
また、第一実施形態におけるＢＯＸ設定処理のＳ１１５が受付手段，受付手順に、Ｓ１２０が現設定値取得手段に、Ｓ１２５が表示制御手段，表示制御手順に、Ｓ１３０が新設定値取得手段，新設定値取得手順に、Ｓ１３５が設定値更新手段，設定値更新手順に、Ｓ１４０が設定値更新手段に、Ｓ１５０が表示制御手段に相当する。
【０１０５】
また、第二実施形態におけるＢＯＸ設定処理のＳ３０５が受付手段，受付手順に、Ｓ３１０が現設定値取得手段に、Ｓ３１５が表示制御手段，表示制御手順に、Ｓ３２０が新設定値取得手段，新設定値取得手順に、Ｓ３２５が設定値更新手段，設定値更新手順に、Ｓ３３０が設定値更新手段に、Ｓ３４０が表示制御手段に相当する。
【０１０６】
［他の実施形態］
（１）第一〜第三実施形態では、ＭＦＰ１０は無線ＬＡＮによりウェブブラウザを備えるＰＣ７０等と接続されているが、これに限らず、例えば、有線ＬＡＮにより該ＰＣ７０等と接続されていても良い。このような場合であっても、同様の効果を得ることができる。
【０１０７】
（２）また、第一〜第三実施形態では、ＭＦＰ１０がＢＯＸ３０からネットワークに関する現設定値を取得する際や、該現設定値を変更する際には、ＭＦＰ１０とＢＯＸ３０との間では、ＭＡＣアドレスを含むブロードキャストパケットの送受信が行われる。しかしながら、ＭＡＣアドレスに替えて、製造時に設定されるシリアルＩＤ等のようにＭＦＰ１０やＢＯＸ３０に固有に設けられた識別情報を用いても良いし、ペアとなるＭＦＰ１０とＢＯＸ３０の組に対して固有に設けられた識別情報を用いても良い。
【０１０８】
このような場合であっても、ＭＦＰ１０やＢＯＸ３０は、ブロードキャストパケットの送信元が、ペアとなっているＭＦＰ１０或いはＢＯＸ３０であるか否かを正確に判別することができる。このため、ＢＯＸ３０からＭＦＰ１０以外の他の装置に現設定値を提供してしまうことや、他の装置からのパケットによりＢＯＸ３０の現設定値が変更されてしまうことを防ぐことができる。
【０１０９】
（３）また、第一〜第三実施形態では、ＢＯＸ設定処理のＳ１２０やＳ３１０において、ＭＦＰ１０がＢＯＸ３０のネットワークに関する現設定値を取得する場合、また、Ｓ１３５やＳ３２５において、ＭＦＰ１０がＢＯＸ３０にネットワークに関する設定変更を要求する場合、ブロードキャストパケットを送信する。しかしながら、これに代えて、ＢＯＸのＩＰアドレスを指定したユニキャスト通信を試行し、失敗した場合に、ブロードキャストパケットを送信してもよい。こうすることにより、無線ＬＡＮの通信負荷を抑えつつ、ＢＯＸ３０のネットワークに関する設定を行うことができる。
【符号の説明】
【０１１０】
１０…ＭＦＰ、１１…ＣＰＵ、１２…ＲＯＭ、１３…ＲＡＭ、１４…フラッシュメモリ、１５…バスライン、１６…入出力ポート、１７…無線ＬＡＮ通信制御回路、１８…操作キー、１９…ＬＣＤ、２０…プリンタ、２１…スキャナ、２２…メモリカードリーダライタ、２３…無線ＬＡＮ通信制御回路、２４…Ｉ／Ｆ、３０…ＢＯＸ、３１…ＣＰＵ、３２…ＲＯＭ、３３…ＲＡＭ、３４…フラッシュメモリ、３５…バスライン、３６…入出力ポート、３７…無線ＬＡＮ通信制御回路、３８…ＤＣＬ送受信部、３９…モデム、４０…ＮＣＵ、４１…Ｉ／Ｆ、５０…ＡＰ、６０…電話回線網、７０…ＰＣ、７１…モバイル機器。
【図１】
2014068318.tif 000003
【図２】
2014068318.tif 000004
【図３】
2014068318.tif 000005
【図４】
2014068318.tif 000006
【図５】
2014068318.tif 000007
【図６】
2014068318.tif 000008
【図７】
2014068318.tif 000009
【図８】
2014068318.tif 000010
【図９】
2014068318.tif 000011
【図１０】
2014068318.tif 000012